(57)【要約】【課題】  意図せず誤って特殊原稿を当該画像形成装置に載置してしまったユーザーにとって過度の不便とならず、特殊原稿のコピーを効果的に禁止する画像形成装置を得る。【解決手段】  制御部２１は、原稿が所定の特殊原稿であると判定された場合、（ａ）第１確認画面を表示装置３ａに表示し、（ｂ）第１確認画面の表示開始後に、ユーザーによる所定のコピー続行操作を入力装置３ｂで検出した場合、第２確認画面を表示装置３ａに表示し、（ｃ）第２確認画面の表示開始後に、ユーザーによる所定のコピー続行操作を入力装置３ｂで検出した場合、撮影装置４でユーザーを撮影し、ユーザーの撮影後、第３確認画面を表示装置３ａに表示し、（ｃ）第３確認画面の表示開始後に、ユーザーによる所定のコピー続行操作を入力装置３ｂで検出した場合、ロック機構６で、プラテンカバー１ａを開けることを禁止する。【選択図】  図１
2020092297.tif 000002
【特許請求の範囲】
【請求項１】
原稿から光学的に原稿画像を読み取る画像読取装置と、
前記原稿画像に基づいて、前記原稿が所定の特殊原稿であるか否かを判定する特殊原稿検出部と、
表示装置と、
ユーザーの操作を検出する入力装置と、
前記ユーザーを撮影する撮影装置と、
前記画像読取装置の閉状態のプラテンカバーを開けることを禁止するロック機構と、
制御部とを備え、
前記制御部は、前記原稿が所定の特殊原稿であると判定された場合、（ａ）第１確認画面を前記表示装置に表示し、（ｂ）前記第１確認画面の表示開始後に、前記ユーザーによる所定のコピー続行操作を前記入力装置で検出した場合、第２確認画面を前記表示装置に表示し、（ｃ）前記第２確認画面の表示開始後に、前記ユーザーによる所定のコピー続行操作を前記入力装置で検出した場合、前記撮影装置で前記ユーザーを撮影し、前記ユーザーの撮影後、第３確認画面を前記表示装置に表示し、（ｃ）前記第３確認画面の表示開始後に、前記ユーザーによる所定のコピー続行操作を前記入力装置で検出した場合、前記ロック機構で、前記プラテンカバーを開けることを禁止すること、
を特徴とする画像形成装置。
【請求項２】
前記第１確認画面は、前記原稿が前記特殊原稿であることを報知する警告メッセージを含み、
前記第２確認画面は、前記警告メッセージとともに、コピーを続行するか否かをユーザーに対して問い合わせる追加メッセージを含み、
前記第３確認画面は、前記警告メッセージおよび前記追加メッセージとともに、前記ユーザーを撮影したことを示す撮影報知メッセージを含むこと、
を特徴とする請求項１記載の画像形成装置。
【請求項３】
前記第１確認画面、前記第２確認画面、および前記第３確認画面の少なくとも１つは、前記原稿のプレビュー画像を含むことを特徴とする請求項１記載の画像形成装置。
【請求項４】
前記プラテンカバーは、ヒンジで開閉自在に前記画像読取装置の筐体に接続されており、
前記ヒンジは、前記プラテンカバーの底面の端部に配置されており、
前記ロック機構は、前記ヒンジが配置されている前記端部に対向する他の端部および当該他の端部に対応する前記筐体の位置に配置されていること、
を特徴とする請求項１記載の画像形成装置。
【発明の詳細な説明】
【技術分野】
【０００１】
本発明は、画像形成装置に関するものである。
【背景技術】
【０００２】
ある画像形成装置（以下、第１の画像形成装置という）は、コピーの際、原稿の読取画像に基づいて、原稿が、紙幣、有価証券などのコピーが禁止されている特殊原稿であると判定したとき、警告表示およびブザー音の出力を行っている（例えば特許文献１参照）。
【０００３】
別の画像形成装置（以下、第２の画像形成装置という）は、原稿が上述のような特殊原稿であると判定した場合、ロック機構でプラテンカバーをロックし、原稿の取り出しを禁止している（例えば特許文献２参照）。
【先行技術文献】
【特許文献】
【０００４】
【特許文献１】特開平１０−２２２０３３号公報
【特許文献２】特開平０８−１３９９０６号公報
【発明の概要】
【発明が解決しようとする課題】
【０００５】
しかしながら、上述の第１の画像形成装置は、警告によって、ユーザーに対して特殊原稿のコピーを心理的に抑制させようとしているが、ユーザーによっては警告を無視して特殊原稿のコピーを行ってしまう可能性がある。
【０００６】
他方、上述の第２の画像形成装置は、ユーザーが意図せず誤って特殊原稿を当該画像形成装置に載置してしまった場合でも、ロック機構で特殊原稿が拘束されてしまい、そのような悪意のないユーザーにとって不便である。特に、このようなロック機構のロック解除には管理者による操作が必要となるため、管理者にとっても不便である。
【０００７】
本発明は、上記の問題に鑑みてなされたものであり、意図せず誤って特殊原稿を当該画像形成装置に載置してしまったユーザーにとって過度の不便とならず、特殊原稿のコピーを効果的に禁止する画像形成装置を得ることを目的とする。
【課題を解決するための手段】
【０００８】
本発明に係る画像形成装置は、原稿から光学的に原稿画像を読み取る画像読取装置と、前記原稿画像に基づいて、前記原稿が所定の特殊原稿であるか否かを判定する特殊原稿検出部と、表示装置と、ユーザーの操作を検出する入力装置と、前記ユーザーを撮影する撮影装置と、前記画像読取装置の閉状態のプラテンカバーを開けることを禁止するロック機構と、制御部とを備える。そして、前記制御部は、前記原稿が所定の特殊原稿であると判定された場合、（ａ）第１確認画面を前記表示装置に表示し、（ｂ）前記第１確認画面の表示開始後に、前記ユーザーによる所定のコピー続行操作を前記入力装置で検出した場合、第２確認画面を前記表示装置に表示し、（ｃ）前記第２確認画面の表示開始後に、前記ユーザーによる所定のコピー続行操作を前記入力装置で検出した場合、前記撮影装置で前記ユーザーを撮影し、前記ユーザーの撮影後、第３確認画面を前記表示装置に表示し、（ｃ）前記第３確認画面の表示開始後に、前記ユーザーによる所定のコピー続行操作を前記入力装置で検出した場合、前記ロック機構で、前記プラテンカバーを開けることを禁止する。
【発明の効果】
【０００９】
本発明によれば、意図せず誤って特殊原稿を当該画像形成装置に載置してしまったユーザーにとって過度の不便とならず、特殊原稿のコピーを効果的に禁止する画像形成装置が得られる。
【００１０】
本発明の上記又は他の目的、特徴および優位性は、添付の図面とともに以下の詳細な説明から更に明らかになる。
【図面の簡単な説明】
【００１１】
【図１】図１は、本発明の実施の形態に係る画像形成装置の構成を示すブロック図である。
【図２】図２は、図１におけるロック機構６の一例を示す斜視図である。
【図３】図３は、図１に示す画像形成装置の動作を説明するフローチャートである。
【図４】図４は、図１に示す画像形成装置において表示される第１確認画面の一例を示す図である。
【図５】図５は、図１に示す画像形成装置において表示される第２確認画面の一例を示す図である。
【図６】図６は、図１に示す画像形成装置において表示される第３確認画面の一例を示す図である。
【図７】図７は、図１に示す画像形成装置において表示されるロック報知画面の一例を示す図である。
【発明を実施するための形態】
【００１２】
以下、図に基づいて本発明の実施の形態を説明する。
【００１３】
図１は、本発明の実施の形態に係る画像形成装置の構成を示すブロック図である。図１に示す画像形成装置は、コピー機、複合機などといった装置である。図１に示す画像形成装置は、画像読取装置１、プリント装置２、操作パネル３、撮影装置４、演算処理装置５、およびロック機構６を備える。
【００１４】
画像読取装置１は、プラテングラスに載置された原稿から光学的に原稿画像を読み取り、原稿画像の画像データを出力する。
【００１５】
プリント装置２は、図示せぬ電子写真方式のプリント機構などで原稿画像をプリントシート（用紙など）にプリントする。
【００１６】
操作パネル３は、画像読取装置１の筐体上に配置され、表示装置３ａおよび入力装置３ｂを備える。表示装置３ａは、液晶ディスプレイパネルなどといったディスプレイパネル、インジケーターなどを備える。入力装置３ｂは、タッチパネル、ハードキーなどを備える。表示装置３ａは、ユーザーに対して各種画面を表示し、入力装置３ｂは、ユーザー操作を受け付ける。
【００１７】
撮影装置４は、当該画像形成装置を操作中のユーザーを撮影し撮影画像データを出力する。
【００１８】
演算処理装置５は、コンピューター、ＡＳＩＣ（Application Specific Integrated Circuit）などを有し、ソフトウェア処理および／またはハードウェア処理を行う各種処理部として動作する。ここでは、演算処理装置５は、制御部２１および特殊原稿検出部２２として動作する。
【００１９】
制御部２１は、コピージョブ要求を受け付け、画像読取装置１、プリント装置２などを制御するとともに、画像読取装置１およびプリント装置２に対するデータの入出力を行うことで、コピージョブを実行する。
【００２０】
また、制御部２１は、コピージョブの際に、原稿が所定の特殊原稿（上述のような、紙幣、有価証券などのコピーが禁止されているもの）であると判定された場合、（ａ）第１確認画面を表示装置３ａに表示し、（ｂ）第１確認画面の表示開始後に、ユーザーによる所定のコピー続行操作を入力装置３ｂで検出した場合、第２確認画面を表示装置３ａに表示し、（ｃ）第２確認画面の表示開始後に、ユーザーによる所定のコピー続行操作を入力装置３ｂで検出した場合、撮影装置４でユーザーを撮影し、ユーザーの撮影後、第３確認画面を表示装置３ａに表示し、（ｃ）第３確認画面の表示開始後に、ユーザーによる所定のコピー続行操作を入力装置３ｂで検出した場合、ロック機構６で、プラテンカバーを開けることを禁止する。
【００２１】
ここで、第１確認画面、第２確認画面、および第３確認画面の少なくとも１つ（ここでは全部）は、原稿のプレビュー画像を含む。
【００２２】
なお、第１確認画面は、原稿が特殊原稿であることを報知する警告メッセージを含み、第２確認画面は、その警告メッセージとともに、コピーを続行するか否かをユーザーに対して問い合わせる追加メッセージを含み、第３確認画面は、その警告メッセージおよび追加メッセージとともに、ユーザーを撮影したことを示す撮影報知メッセージを含むようにしてもよい。
【００２３】
特殊原稿検出部２２は、画像読取装置１によって読み取られた原稿画像に基づいて、原稿が所定の特殊原稿であるか否かを判定する。具体的には、そのために、特殊原稿検出部２２は、原稿画像の画像データを取得し、その画像データに基づいて、特殊原稿のパターンマッチングを行って、原稿画像内に特殊原稿の画像が含まれているか否かを判定している。
【００２４】
ロック機構６は、画像読取装置１の閉状態のプラテンカバーを開けることを禁止する。
ロック機構６は、プラテンカバーを固定するための機械的部材と、その機械的部材を駆動するアクチュエーターやモーターとを備える。
【００２５】
図２は、図１におけるロック機構６の一例を示す斜視図である。
【００２６】
図２に示すように、プラテンカバー１ａは、ヒンジ１ｂで開閉自在に画像読取装置１の筐体に接続されており、閉状態で、プラテングラス１ｃ（および図示せぬ原稿）を覆う。
【００２７】
また、図２に示すように、ロック機構６は、その筐体側における収容孔３１と、収容孔３１内に配置され図示せぬ駆動装置によって垂直方向に移動可能な第１部材３２と、プラテンカバー１ａ側における収容孔３３と、収容孔３３の側面に隣接してプラテンカバー１ａ内部に配置され図示せぬ駆動装置によって水平方向に移動可能な第２部材３４とを備える。ロック動作時には、駆動装置が制御されることで、第１部材３２が収容孔３３に突出し、第１部材３２側面に設けられた図示せぬ係合孔に第２部材３４が突出する。これにより、第１部材３２と第２部材とが互いに係合しプラテンカバー１ａの開閉が禁止される。
【００２８】
ここでは、図２に示すように、ヒンジ１ｂは、プラテンカバー１ａの底面の端部（一辺）に配置されており、ロック機構６（つまり、収容孔３１，３３および部材３２，３４）は、ヒンジ１ｂが配置されている端部に対向する他の端部および当該他の端部に対応する筐体の位置に配置されている。このようにすることで、ヒンジ１ｂとロック機構６とによって、強固にプラテンカバー１ｂがロックされる。
【００２９】
次に、上記画像形成装置の動作について説明する。図３は、図１に示す画像形成装置の動作を説明するフローチャートである。
【００３０】
制御部２１は、入力装置３ｂに対するユーザー操作に基づくコピージョブ要求を受け付けると（ステップＳ１）、画像読取装置１に、プラテングラス１ｃに載置された原稿の原稿画像の読取を実行させ、読み取られた原稿画像の画像データを取得する（ステップＳ２）。
【００３１】
特殊原稿検出部２２は、その画像データに基づいて、原稿が特殊原稿であるか否かを判定する（ステップＳ３）。
【００３２】
原稿が特殊原稿ではないと判定された場合、制御部２１は、原稿画像に対して所定の画像処理を実行し、プリント装置２を使用して、原稿画像のプリントを実行する（ステップＳ４）。
【００３３】
一方、原稿が特殊原稿であると判定された場合、制御部２１は、第１確認画面を表示装置３ａに表示する（ステップＳ５）。
【００３４】
図４は、図１に示す画像形成装置において表示される第１確認画面の一例を示す図である。図４に示すように、第１確認画面は、原稿が特殊原稿であることを報知する警告メッセージ１２１、原稿画像のプレビュー画像１２２、コピー続行キー１２３（ソフトキー）、およびキャンセルキー１２４（ソフトキー）を含む。
【００３５】
そして、制御部２１は、第１確認画面のコピー続行キー１２３およびキャンセルキー１２４のどちらが押下されたかを入力装置３ｂで検出し、ユーザーによるコピー続行操作（ここでは、コピー続行キー１２３の押下）が検出されたか否かを判定する（ステップＳ６）。
【００３６】
第１確認画面表示後にコピー続行操作が検出された場合、制御部２１は、第２確認画面を表示装置３ａに表示する（ステップＳ７）。なお、このとき、ユーザーの撮影およびプラテンカバー１ａのロックは実行されない。
【００３７】
図５は、図１に示す画像形成装置において表示される第２確認画面の一例を示す図である。図５に示すように、第２確認画面は、第１確認画面と同様の警告メッセージ１４１、プレビュー画像１４２、コピー続行キー１４３、およびキャンセルキー１４４を含むとともに、さらに、コピーを続行するか否かをユーザーに対して問い合わせる追加メッセージ１４５を含む。
【００３８】
そして、制御部２１は、第２確認画面のコピー続行キー１４３およびキャンセルキー１４４のどちらが押下されたかを入力装置３ｂで検出し、ユーザーによるコピー続行操作（ここでは、コピー続行キー１４３の押下）が検出されたか否かを判定する（ステップＳ８）。
【００３９】
第２確認画面表示後にコピー続行操作が検出された場合、制御部２１は、撮影装置４で、ユーザーを撮影し、撮影装置４から撮影画像データを取得して図示せぬ記憶装置に格納し（ステップＳ９）、その後、第３確認画面を表示装置３ａに表示する（ステップＳ１０）。その際、制御部２１は、ユーザーの撮影時に、図示せぬスピーカーを使用して、疑似シャッター音を出力するようにしてもよい。この撮影画像によってユーザーが特定される。なお、このとき、プラテンカバー１ａのロックは実行されない。
【００４０】
図６は、図１に示す画像形成装置において表示される第３確認画面の一例を示す図である。図６に示すように、第３確認画面は、第２確認画面と同様の警告メッセージ１６１、プレビュー画像１６２、コピー続行キー１６３、キャンセルキー１６４、および追加メッセージ１６５を含むとともに、さらに、ユーザーを撮影したことを示す撮影報知メッセージ１６６を含む。
【００４１】
そして、制御部２１は、第３確認画面のコピー続行キー１６３およびキャンセルキー１６４のどちらが押下されたかを入力装置３ｂで検出し、ユーザーによるコピー続行操作（ここでは、コピー続行キー１６３の押下）が検出されたか否かを判定する（ステップＳ１１）。
【００４２】
第３確認画面表示後にコピー続行操作が検出された場合、制御部２１は、ロック機構６で、プラテンカバー１ａをロックし、原稿の取り出しを禁止し（ステップＳ１２）、その後、ロック報知画面を表示装置３ａに表示する。この場合、原稿画像のプリントは実行されない。
【００４３】
図７は、図１に示す画像形成装置において表示されるロック報知画面の一例を示す図である。図７に示すように、ロック報知画面は、ロック報知メッセージ１８１、ロック解除のパスワードを入力するための入力フィールド１８２、およびロック解除キー１８３を含む。その後、管理者などによって、入力フィールド１８２に正当なパスワードが入力され、ロック解除キー１８３が押下されると、制御部２１は、それらの操作を入力装置３ｂで検出し、ロック機構６を制御して、プラテンカバー１ａのロックを解除する。これにより、ユーザーは、原稿を取り出すことができる。
【００４４】
他方、ステップＳ６、ステップＳ８、およびステップＳ１１において、キャンセルキー１２４，１４４，１６４が押下された場合には、制御部２１は、コピー続行操作が検出されなかったと判定し、コピージョブをキャンセルする（ステップＳ１３）。つまり、この場合には、プラテンカバー１ａはロックされず、原稿画像のプリントは実行されない。
【００４５】
以上のように、上記実施の形態によれば、制御部２１は、原稿が所定の特殊原稿であると判定された場合、（ａ）第１確認画面を表示装置３ａに表示し、（ｂ）第１確認画面の表示開始後に、ユーザーによる所定のコピー続行操作を入力装置３ｂで検出した場合、第２確認画面を表示装置３ａに表示し、（ｃ）第２確認画面の表示開始後に、ユーザーによる所定のコピー続行操作を入力装置３ｂで検出した場合、撮影装置４でユーザーを撮影し、ユーザーの撮影後、第３確認画面を表示装置３ａに表示し、（ｃ）第３確認画面の表示開始後に、ユーザーによる所定のコピー続行操作を入力装置３ｂで検出した場合、ロック機構６で、プラテンカバー１ａを開けることを禁止する。
【００４６】
これにより、ユーザーに対する心理的な抑制が段階的に強められるため、意図せず誤って特殊原稿を当該画像形成装置に載置してしまったユーザーにとって過度の不便とならず、特殊原稿のコピーが効果的に禁止される。
【００４７】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００４８】
例えば、上記実施の形態において、第３確認画面において、ユーザーの撮影画像を併せて表示するようにしてもよい。
【００４９】
また、上記実施の形態において、第２確認画面および第３確認画面の表示の前に、再度、上述のようにして画像読取を実行し、原稿画像から特殊原稿の画像が検出されなければ（つまり、特殊原稿が除去されていれば）、原稿画像のプリントを実行するようにしてもよい。
【００５０】
また、上記実施の形態において、上述の第１〜第３確認画面は、コピージョブの操作画面に重畳させてポップアップ表示させるようにしてもよい。
【産業上の利用可能性】
【００５１】
本発明は、例えば、複合機などの画像形成装置に適用可能である。
【符号の説明】
【００５２】
１  画像読取装置
１ａ  プラテンカバー
１ｂ  ヒンジ
３ａ  表示装置
３ｂ  入力装置
４  撮影装置
６  ロック機構
２１  制御部
２２  特殊原稿検出部
【図１】
2020092297.tif 000003
【図２】
2020092297.tif 000004
【図３】
2020092297.tif 000005
【図４】
2020092297.tif 000006
【図５】
2020092297.tif 000007
【図６】
2020092297.tif 000008
【図７】
2020092297.tif 000009